(57)【要約】【課題】  テレビジョンにおける外部記録装置のステータス情報の表示時に、テレビジョンを視聴しているユーザに与える不快感を軽減すること。【解決手段】  記録装置に接続可能な、表示部を有するテレビジョンシステムの制御方法であって、前記ステータス情報の表示部への表示／非表示を設定し（Ｓ１３、Ｓ１４）、前記記録装置から該記録装置のステータス情報を受信し（Ｓ１０１）、前記ステータス情報を表示が設定されている場合に、前記ステータス情報を前記表示部に表示し、前記ステータス情報の非表示が設定されている場合に、前記ステータス情報を前記表示部に表示しないように制御する（Ｓ１０２、Ｓ１０３）。【選択図】  図４
2007074144.tif 000002
【特許請求の範囲】
【請求項１】
外部記録装置に接続可能なテレビジョンシステムであって、
表示手段と、
前記外部記録装置から該外部記録装置のステータス情報を受信する受信手段と、
前記ステータス情報の前記表示手段への表示／非表示を設定する設定手段とを有し、
前記設定手段により前記ステータス情報の表示が設定されている場合に、前記ステータス情報を前記表示手段に表示し、前記設定手段により前記ステータス情報の非表示が設定されている場合に、前記ステータス情報を前記表示手段に表示しないことを特徴とするテレビジョンシステム。
【請求項２】
前記設定手段は操作手段を含み、該操作手段の操作状態に応じて前記設定手段は表示／非表示を設定することを特徴とする請求項１に記載のテレビジョンシステム。
【請求項３】
前記テレビジョンシステムの遠隔操作を行うためのリモコン装置を含み、
前記操作手段は、前記リモコン装置に設けられていることを特徴とする請求項２に記載のテレビジョンシステム。
【請求項４】
前記外部記録装置は表示装置を有し、前記設定手段により前記ステータス情報が非表示に設定されている場合に、該表示装置に前記ステータス情報を表示することを特徴とする請求項１に記載のテレビジョンシステム。
【請求項５】
前記外部記録装置及び前記リモコン装置はそれぞれ表示装置を有し、前記設定手段により前記ステータス情報が非表示に設定されている場合に、該表示装置の少なくとも一方に前記ステータス情報を表示することを特徴とする請求項３に記載のテレビジョンシステム。
【請求項６】
前記受信手段は、前記外部記録装置が表示手段を有するか否かを示す情報を更に受信し、前記外部記録装置が表示手段を有する場合に、前記設定手段は前記ステータス情報を非表示に設定することを特徴とする請求項１に記載のテレビジョンシステム。
【請求項７】
前記外部記録装置が表示手段を有さない場合に、前記設定手段は前記ステータス情報を表示に設定することを特徴とする請求項６に記載のテレビジョンシステム。
【請求項８】
前記設定手段による表示／非表示の設定の変更を禁止する禁止手段を更に有し、
前記外部記録装置が表示手段を有さない場合に、前記設定手段が前記ステータス情報の表示を設定後、前記禁止手段は、前記設定手段による表示／非表示の設定の変更を禁止することを特徴とする請求項７に記載のテレビジョンシステム。
【請求項９】
放送を含む複数の情報源からコンテンツを入力する複数の入力手段と、
前記複数の情報源のいずれかを選択し、前記表示手段に表示させる選択手段を更に有し、
前記設定手段は、前記選択手段により選択された情報源に応じて、前記ステータス情報の表示／非表示を設定することを特徴とする請求項１に記載のテレビジョンシステム。
【請求項１０】
前記選択手段により選択された情報源が一過性のコンテンツを主に提供する情報源である場合に、前記設定手段は、前記ステータス情報を非表示に設定することを特徴とする請求項９に記載のテレビジョンシステム。
【請求項１１】
前記設定手段は、放送される番組毎に、前記ステータス情報の表示／非表示を設定することを特徴とする請求項１に記載のテレビジョンシステム。
【請求項１２】
放送中の内容が本編か否かを判別する判別手段を更に有し、
前記設定手段は、更に、本編の表示中は前記ステータス情報を非表示とし、本編以外の表示中は前記ステータス情報を表示とする設定を行うことを特徴とする請求項１乃至９のいずれかに記載のテレビジョンシステム。
【請求項１３】
前記ステータス情報を表示または非表示にする時間を指定する手段と、
前記指定された時間の間、前記ステータス情報を表示あるいは非表示にする手段と
を更に有することを特徴とする請求項１に記載のテレビジョンシステム。
【請求項１４】
前記ステータス情報は複数の項目を有し、前記設定手段は、前記各項目毎に前記ステータス情報の表示／非表示を設定することを特徴とする請求項１乃至１０のいずれかに記載のテレビジョンシステム。
【請求項１５】
前記設定手段により前記ステータス情報が表示に設定されている場合に、一時的に非表示にし、前記設定手段により前記ステータス情報が非表示に設定選択されている場合に、一時的に表示にする指示手段を更に有することを特徴とする請求項１に記載のテレビジョンシステム。
【請求項１６】
外部記録装置に接続可能な、表示手段を有するテレビジョンシステムの制御方法であって、
前記ステータス情報の前記表示手段への表示／非表示を設定する設定ステップと、
前記外部記録装置から該外部記録装置のステータス情報を受信する受信ステップと、
前記設定ステップにおいて前記ステータス情報の表示が設定されている場合に、前記ステータス情報を前記表示手段に表示し、前記設定ステップにおいて前記ステータス情報の非表示が設定されている場合に、前記ステータス情報を前記表示手段に表示しないように制御する表示ステップと
を有することを特徴とする制御方法。
【請求項１７】
請求項１６に記載のテレビジョンシステムの制御方法を実現するためのプログラムコードを有することを特徴とする情報処理装置が実行可能なプログラム。
【請求項１８】
請求項１７に記載のプログラムを記憶したことを特徴とする情報処理装置が読み取り可能な記憶媒体。
【発明の詳細な説明】
【技術分野】
【０００１】
本発明は、テレビジョンシステムとその制御方法に関し、特に、記録装置に接続可能なテレビジョンシステムとその制御方法に関する。
【背景技術】
【０００２】
昨今、テレビジョン（以下、「TV」と称する。）のデジタル化に伴い、放送（地上波あるいは衛星放送）だけでなく、様々な情報源からTVに表示可能となっている。例えば、メモリカードスロットを介したデジタルカメラ画像や、LANインターフェースを介したインターネットコンテンツなどを表示することができる。
【０００３】
情報の多様化に伴い、印刷向けのコンテンツも増大することが予想され、デジタルTVと記録装置からなる記録システムの印刷規格も策定されつつある状況である。
【０００４】
一方、従来広く普及しているパーソナルコンピュータ（以下、「PC」と称する。）と、PCに接続する記録装置の場合、USBインターフェース等を介してPCと記録装置間で様々な情報をやりとりしている。例えば、記録装置からPCに送るステータス情報としては以下のようなものがある。
１．印字信号を送信した場合に、記録装置側からインク残量情報をPCに一緒に送信し、インクが少なければPC画面上に警告マークを表示する。
２．記録時に用紙無しで印字できなかったときには、PC画面上に紙無しエラー表示を行う。
３．給紙時にジャムが発生したときには、PC画面上にジャムエラー表示を行う。
４．記録装置にセットしている用紙の有無検知が可能な装置であれば、用紙無しを検知した状態で印字信号を送信すると、その時点で紙無し警告表示を行う。
５．印字信号を送信すると、PC画面上に印字中である旨を示すプログレス表示を行う。
【０００５】
これらの表示を行うことで、ユーザはそのときの記録装置のステータスを大きな画面表示によって知ることができ、操作性を向上させることが可能となる。
【０００６】
TVに接続して印字可能な記録装置においても、PC接続する装置と同様の操作環境を提供する発明として、例えば、特許文献１に示すものがある。
【０００７】
この発明においては、文字、数字、記号、絵をテレビ画面上に表示するための表示手段を備えた画像プリント出力機能を内蔵したテレビ受信機が開示されている。このテレビ受信機は、プリンタ手段からのプリント出力に同期して、画像データがプリント出力中であることを表す情報を、文字、数字、記号、絵の少なくとも１つを用いて、テレビ画面上に表示することを特徴としている。
【０００８】
【特許文献１】特開平９−１２１３１３号公報
【発明の開示】
【発明が解決しようとする課題】
【０００９】
しかしながら、記録装置にPCを接続したシステムと、TVを接続したシステムでは、以下のような違いがある。
【００１０】
PC上では、ある作業をしている最中に記録装置のステータスが表示されたとしても、PCの画面全体がステータス画面により占有されるわけではない。また、作業画面をアクティブにすることで、ステータス画面を作業画面の背後に隠すことができるため、作業途中で不快感を感じることはない。
【００１１】
これに対し、テレビジョンに接続して印字可能な記録装置を含む記録システムにおいてステータス表示を行うと、テレビジョンでは一過性の放送が主要なコンテンツである性格上、数秒間であっても、ステータス情報が画面を占有することになる。このことに不快感を感じるユーザは多いと予想できる。
【００１２】
すなわち、特許文献１に記載されているように、プリンタ手段がプリント中であることを示す情報を、テレビ画面上に文字、数字、記号、絵を適宜に用いて表示することも、必ずしも操作性が良いとはいえないという欠点があった。
【００１３】
本発明は上記問題点を鑑みてなされたものであり、テレビジョンにおける外部記録装置のステータス情報の表示時に、テレビジョンを視聴しているユーザに与える不快感を軽減することを目的とする。
【課題を解決するための手段】
【００１４】
上記目的を達成するために、外部記録装置に接続可能な本発明のテレビジョンシステムは、表示手段と、前記外部記録装置から該外部記録装置のステータス情報を受信する受信手段と、前記ステータス情報の前記表示手段への表示／非表示を設定する設定手段とを有し、前記設定手段により前記ステータス情報の表示が設定されている場合に、前記ステータス情報を前記表示手段に表示し、前記設定手段により前記ステータス情報の非表示が設定されている場合に、前記ステータス情報を前記表示手段に表示しないことを特徴とする。
【００１５】
また、外部記録装置に接続可能な、表示手段を有するテレビジョンシステムの本発明の制御方法は、前記ステータス情報の前記表示手段への表示／非表示を設定する設定ステップと、前記外部記録装置から該外部記録装置のステータス情報を受信する受信ステップと、前記設定ステップにおいて前記ステータス情報の表示が設定されている場合に、前記ステータス情報を前記表示手段に表示し、前記設定ステップにおいて前記ステータス情報の非表示が設定されている場合に、前記ステータス情報を前記表示手段に表示しないように制御する表示ステップとを有する。
【発明の効果】
【００１６】
本発明によれば、テレビジョンにおける外部記録装置のステータス情報の表示時に、テレビジョンを視聴しているユーザに与える不快感を軽減することが可能となる。
【発明を実施するための最良の形態】
【００１７】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００１８】
＜第１の実施形態＞
図１は本発明の記録システムを示すシステム構成図である。
【００１９】
図１において、１はCRT、液晶、プラズマ等のTVパネルであり、各種コンテンツを表示する。
【００２０】
２は地上波デジタルTVチューナ（以下、「TVチューナ」と呼ぶ。）であり、３は地上波デジタル放送受信用アンテナ（以下、「アンテナ」と呼ぶ。）である。なお、TVパネルとTVチューナは一体型と別体型の両形態がある。
【００２１】
アンテナ３を介して受信した放送は、TVチューナ２内部で映像処理等の過程を経由したのち、TVパネル１にて表示される。４はメモリカードであり、TVチューナ２に配置されたメモリカードスロットに挿入することにより、メモリカード４に記録された画像情報等を取り込み、TVパネル２に表示することができる。５はLANケーブルであり、不図示のルータ等を介してインターネット回線６に接続する。
【００２２】
以上のように、本発明のTVチューナ２とTVパネル１の組み合わせでは、放送、メモリカード、LAN（インターネット）の３つの情報源から各種コンテンツを表示可能となっている。
【００２３】
７はTVチューナ２とLANケーブル８を介して接続されるインクジェット等の記録装置である。記録装置７にはステータス表示用液晶表示器９が搭載され、各種印刷ステータス情報が表示可能となっている。記録装置７がインクジェットの場合は液体インクを吐出して記録を行う。ただし、本発明は記録装置７の種類に限定されるものではなく、記録装置であればどのような記録方式の記録装置であっても良い。１０はTVチューナ２に付属のリモコンであり、TVチューナ２における各種設定を遠隔操作できる。リモコン１０にも液晶表示器１１が搭載されており、各種TV設定を確認できる。
【００２４】
図２はリモコン１０の一例を示す正面図である。
【００２５】
図２において、２０はTV電源ONボタンであり、１１は液晶表示器、１２は放送用チャンネルボタン群である。１３は上述の放送、LAN（インターネット）、メモリカード表示画面の切り換えボタンであり、TV、INTERNET、PC CARDのボタンから所望のボタンを押すことによって、入力先を切り換え可能である。１４は音量調節ボタンである。１５は印刷ボタンであり、記録装置７が接続されている場合、この印刷ボタン１５を押すことにより、記録装置７がOFFであれば自動的に電源ONすると共に、そのときにTVパネル１に表示されている画像を印刷する指示を出力する。１６はメニューボタンであり、TVや記録装置７の各種設定画面をTVパネル１に表示させる。１７はロータリースイッチであり、４つの方向キー１８と決定ボタン１９からなる。ロータリースイッチ１７は、設定画面表示で項目を選択したり、インターネット画面でのリンク選択等に広く使用される。
【００２６】
上記構成を有するTVにおいて、ユーザが印刷ボタン１５を押下すると、記録装置７に対してTVパネル１に表示されている画像の印刷が指示される。記録装置７では、この印刷指示に基づいて印刷を行うが、このときに、ステータス情報の表示を行う。ステータス情報としては、例えば、記録剤（本実施の形態ではインクジェット方式のためインク）の残量が少なくなったときに表示するインク残量警告や、印刷の進行状況を示すプログレス情報がある。他に、用紙等の印刷する記録媒体が無い場合の紙無しエラー情報、記録装置７でジャムが発生している場合のジャムエラー情報なども含まれる。なお、TVからの印刷指示の有無に関わらず、記録装置７のエラーが発生した時点で表示されるステータス情報もあり、インク残量情報及び紙無しエラー情報を含むエラー情報がある。
【００２７】
従来は、TVがどのような動作状態にあるかに関わらずステータス情報が表示されていたが、本実施の形態では、ステータス情報の表示を制限する。ここで、本第１の実施形態におけるステータス情報の表示制御について図３を参照して説明する。
【００２８】
まず、ステップＳ１０１において、ステータス情報を記録装置７から受信したかどうかを判断する。ステータス情報を受信するとステップＳ１０２に進み、ステータス情報を表示するように設定されているかどうかを判断する。表示するように設定されている場合には、ステップＳ１０３においてTVパネル１にステータス情報を所定時間表示して処理を終了する。一方、表示するように設定されていない場合（非表示に設定）には、ステータス情報を表示せずに処理を終了する。なお、ステップＳ１０３における表示／非表示の判定は、TVチューナ２内のＣＰＵなどにより行う。
【００２９】
次に、本第１の実施形態における、記録装置７のステータス情報の表示／非表示設定処理について、図４のフローチャートを参照して説明する。なお、以下の説明で「ボタンを押す」とは、メカニカルなボタンに関しては実際にそのボタンを押下する動作を指す。また、TVパネル１上に表示される所謂ソフトボタンに関しては、所望のボタンをリモコン１０の４つの方向キー１８などを使用して選択し、更に決定ボタン１９を押す動作のことを言うものとする。
【００３０】
ステップＳ１でリモコン１０のメニューボタン１６を押すと、ステップＳ２で設定画面がTVパネル１に表示される。この時の画面の一例を図５に示す。大まかにはTV用設定２１、インターネット設定２２、その他詳細設定２３、印刷設定２４の画面上ボタンが出現する。
【００３１】
図５において、印刷設定ボタン２４を押すと（ステップＳ３でＹＥＳ）、図６に示す印刷設定画面に切り替わる（ステップＳ５）。印刷設定ボタン２４以外のボタンが押された場合には、ステップＳ４に進んで対応する処理を行う。なお、ステップＳ４の処理は、ステータス情報の表示／非表示設定には直接関係が無いので、詳細説明を省略する。
【００３２】
図６は印刷設定画面の一例を示す。画面中には、基本設定２６、ページ設定２７、ユーティリティ２８のボタンがある。ステップＳ６では、ユーティリティボタン２８が押されたかを判断し、ユーティリティボタン２８以外のボタン、即ち、基本設定ボタン２６またはページ設定ボタン２７が押された場合には、ステップＳ７に進んで所定の画面に切り換わり、対応する処理を行う。基本設定では、用紙の種類、画質・スピードのレベル等を設定する。ページ設定では、用紙サイズ、縦横選択、縁無し・有り印刷選択等が可能である。なお、これらの処理はステータス情報の表示／非表示設定処理には直接関係が無いので、詳細説明を省略する。
【００３３】
一方、ユーティリティボタン２８が押されると（ステップＳ６でＹＥＳ）、図７の画面に切り替わる（ステップＳ８）。図７では、メインテナンス３０、チェック印刷３１、ステータス表示設定３２のボタンが出現している。メインテナンス３０には、吐出ノズルのクリーニング等、メインテナンス機能が割り当てられ、チェック印刷３１にはノズル吐出状態チェック用の印刷機能が割り当てられる。
【００３４】
図７に示す画面においてステータス表示設定３２を押すと（ステップＳ９でＹＥＳ）、図８の画面に切り替わる（ステップＳ１１）。一方、メインテナンスボタン３０あるいはチェック印刷ボタン３１を押した場合には（ステップＳ９でＮＯ）、ステップＳ１０に進んで所定の画面に切り換わり、対応する処理を行う。なお、これらの処理は、ステータス情報の表示／非表示設定には直接関係が無いので、詳細説明を省略する。
【００３５】
図８は、ステータス表示設定画面の一例を示す。この画面では、２つの選択肢が存在し、TV表示ON３４を選択すると（ステップＳ１２でＹＥＳ）、記録装置７の各種ステータスがTVパネル１に表示されるように設定される（ステップＳ１４）。
【００３６】
図９はステータス情報のうち、インク残量警告が発生した場合の表示例を示したものである。記録装置７がインク残量検出機能を有する場合、TV表示ON３４に設定されている状態でユーザが印刷ボタン１５を押して印刷を開始したときに、インクが残り少なければ、記録装置７からTVチューナ２に対し、インク残量警告情報を送信する。これに応じて、TVパネル１にはインク残量警告３７が表示される。図９に示す例ではマゼンダインクの交換をユーザに促す表示がされている。このインク残量警告表示３７は５秒間表示された後、自動消滅する。
【００３７】
また、図８に示すように、リモコン１０の４つの方向キー１８を使用してTV表示OFF３５を選択し、決定ボタン１９を押すと（ステップＳ１２でＮＯ）、上述したインク残量警告表示はTVパネル１の画面に表示されなくなる。その代わりに、記録装置７のステータス表示用液晶表示器９がONになり、インク残量警告表示を行う。
【００３８】
TVパネル１はユーザが注視している画面であるため、TVパネル１への表示は、表示も大きいことから、見易いというメリットはある。しかしながら、特に映画等の動画を鑑賞している場合などでは、ステータス情報の表示が画面の一部を占有することに不快感を感じるユーザも存在すると考えられる。そういった場合には、図８の画面でTV表示OFF３５を選択し、TVパネル１へのステータス情報の表示を行わないようにすることで、ユーザの不快感を解消することができる。なお、この場合には、記録に関わる情報は記録装置７の液晶表示器９に表示させることにより、記録装置７のステータスをユーザに知らせることができる。
【００３９】
また、上記例では、図８の画面でTV表示OFF３５を選択した場合に、記録装置７の液晶表示器９にステータス情報を表示する場合について説明したが、リモコン１０の液晶表示器１１に表示するようにしても良い。例えば、インク残量警告が発生した場合には、記録装置７の液晶表示器９及び／またはリモコン１０の液晶表示器１１にインク残量警告表示することができる。更に、表示を点滅させてユーザの注意を喚起することも有効である。また、決定ボタン１９を押すことで、リモコン１０の液晶表示器１１における表示が消滅するようにしてもよい。
【００４０】
また、本実施の形態におけるステータス情報のTVパネル１への表示／非表示の選択は、上述のようにリモコン１０を使用してTVパネル１上で選択する方法に限るものではない。例えば、記録装置７に専用の選択キーを設けたり、記録装置７の液晶とスクロールボタンを併用して選択する方法などでもよく、選択方法により本発明が制限されるものではない。
【００４１】
上記の通り本第１の実施形態によれば、記録装置のステータス情報をテレビジョン画面に表示するか非表示にするかを選択可能とし、非表示が選択された場合には、記録装置の表示装置にステータス表示を行うように構成する。これにより、ステータス情報で画面が占有されてしまうことによる不快感を無くすとともに、ステータス情報を明確に伝達可能な操作性に優れたシステムを実現することができる。
【００４２】
このように、ステータス情報のTVパネルへの表示／非表示をユーザが好みに応じて変更することができるので、ユーザにとって、テレビジョンの視聴の妨げにならないように、ステータス情報の表示／非表示を制御することが可能になる。
【００４３】
＜第２の実施形態＞
上記第１の実施形態では、ユーザがTVパネル１へのステータス情報の表示のON／OFFを選択した。これに対し、本第２の実施形態では、記録装置７に液晶等の表示器が搭載されているか否かの表示器有無情報をTVチューナ２に送信する手段をシステムに組み込み、表示器の有無に応じて処理を制限する場合について説明する。
【００４４】
図１０は、本第２の実施形態におけるステータス情報のTV表示ON/OFFの初期設定処理を示すフローチャートである。
【００４５】
TVがONされた場合や、記録装置が接続されると、接続されている記録装置の情報を取得する（ステップＳ２１）。この情報の中には、記録装置が表示器を有するかどうかの情報が含まれている。
【００４６】
そして、表示器が記録装置７に搭載されている場合には（ステップＳ２２でＹＥＳ）、TV表示OFFに設定し（ステップＳ２３）、更に、図８に示すTV表示ON／OFFの切り換えを許可する（ステップＳ２４）。
【００４７】
一方、記録装置７に表示器が搭載されていない場合には（ステップＳ２２でＮＯ）、TV表示ONに設定し（ステップＳ２５）、更に、図８に示すTV表示ON／OFFの切り換えを禁止にし、TV表示OFFできないようにする。
【００４８】
なお、ステップＳ２２において、記録装置７にステータス情報を表示可能な面積を持った表示器が搭載されているかどうかを判断するようにし、搭載されている場合に、ステップＳ２３に進むようにしてもよい。このようにすることで、記録装置７の表示器がステータス情報を表示可能な面積を有するため、TVパネル１に表示しなくても記録装置７の表示器に十分にユーザに情報を伝達できるので、操作性の良いシステムとなる。
【００４９】
但し、ステップＳ２３における初期設定がTV表示OFFでも、印刷キー等の所定キーの長押し等の特定の操作に応じてTVパネル１に拡大表示できる機能を付加しておけば、視認性においてさらに優れたシステムとなる。また、ステップＳ２５における初期設定がTV表示ONの場合には、特定の操作に応じて一時的にOFFにできるようにすれば、不快感を解消した操作性のよいシステムとなる。
【００５０】
＜第３の実施形態＞
第１の実施形態で説明したように、TVでは、放送、メモリカード、LAN（インターネット）の３つの情報源から取得した各種コンテンツを表示可能であり、情報源の切り換えは図２の切り換えボタン１３で行う。３つの情報源から得られるコンテンツはそれぞれ性格が異なるため、本第３の実施形態では、情報源に基づいてTV表示ON/OFFの制御を行う場合について、図１１を参照して説明する。
【００５１】
まず、ステップＳ３１において情報源を切り替えて、表示画面を切り替えるための切り替えボタン１３のいずれかが押されたかどうかを判断する。
【００５２】
切り替えボタン１３が押されるとステップＳ３２に進み、TVボタンが押されたかどうかを判断する。TVボタンが押下された場合には、TV表示OFFに設定し（ステップＳ３３）、更に、図８に示すTV表示ON／OFFの切り換えを禁止する（ステップＳ３４）。このように、放送をユーザが選択している場合には、TVへのステータス情報の表示を禁止する。
【００５３】
これは、放送の場合は動画が中心であり、数秒間といえども本編と異なる情報が画面を占有すると非常に煩わしく、不快感が高いと考えられるからである。特に、用紙ジャム表示などは突発的に発生して表示されるので、ユーザにとっての不快感はより高くなる。DVDやハードディスク等の映像記録装置も普及しており、放送コンテンツを記録しておくことも可能であるが、放送コンテンツによってはコピー禁止のものもあり、一過性の性格が強い。また、スポーツやニュースといった、リアルタイム性が重視されるコンテンツも多い。
【００５４】
一方、TVボタンが押下されていない場合、即ち、INTERNETボタンまたはPC CARDボタンが押下された場合には、TV表示ONに設定し（ステップＳ３５）、更に、図８に示すTV表示ON／OFFの切り換えを許可する（ステップＳ３６）。
【００５５】
これは、インターネットコンテンツは文字や静止画情報が主要な上、一過性のデータは少なく、１つ前のリンク先に戻ったりすることが自由にできるためである。ストリーミング動画の場合も、画面上の再生ボタンを押せば何度も再生可能なので、一過性ではない。従って、記録装置７のステータス情報が画面に発生しても不快感は少ないと考えられ、むしろ、大きな画面で表示したほうが分かり易く、操作性が良い。
【００５６】
メモリカードも同様に、デジタルカメラ等で得られる静止画情報が主要であり、一過性でないので、数秒間、ステータス情報が表示されることに不快感は少ないと考えられる。
【００５７】
このように、複数の情報源からの内容を表示可能なTVシステムの場合、情報源に応じて、TVへのステータス情報表示のON／OFFを切り替えることで、操作性を向上することができる。
【００５８】
なお、本第３の実施形態では、情報源がTVである場合にTV表示ONにし、そうでない場合にはTV表示OFFとしたが、情報源とTV表示ON／OFFの関係をユーザが予め設定するようにしても良い。その場合、切り替えボタン１３の押下に応じて、ユーザにより設定されたTV表示ON／OFF制御が行われることになる。
【００５９】
また、本第３の実施形態では、情報源の種類が３種類である場合について説明したが、入力先の種類やその数は上述した例に限るものではない。
【００６０】
＜第４の実施形態＞
本第４の実施形態では、放送中にステータス情報の表示がON／OFFする場合について説明する。
【００６１】
本第４の実施形態では、図７に示す画面においてステータス表示設定３２を押すと図１２の画面に切り替わる。
【００６２】
３８はTV表示完全ONボタンで、どのような場合にもステータス情報をTVパネル１に表示する。３９は、TV表示完全OFFボタンであり、ステータス情報をTV表示しない。４０は本編以外ではステータス表示し、本編中には自動で表示が消える設定である。例えば、用紙ジャムが起きた場合、ジャム処理がユーザによって行われるまで、本編以外の時間帯に継続してジャム表示する。図１２のように、本編以外ONボタン４０を押すとこの設定になる。なお、本編と本編以外を区別する技術は、音声多重放送の有無や無音期間検出などによりすでに実現しており、これらを利用して本編以外でステータス除法のTV表示をONにできる。
【００６３】
本第４の実施形態では、本編中にはステータス表示が出現しないので、放送受信中であっても、ユーザの不快感を軽減することができる。
【００６４】
上述のように、放送中にステータス表示をON／OFF選択する方法は、他にも考えられる。
【００６５】
例えば、TVパネル１へのステータス情報を表示あるいは非表示にする時間を指定し、指定時間内はTVパネル１へのステータス情報を表示あるいは非表示にするようにする。例えば、ユーザが見たい番組の時間中は、ステータス情報をTV表示OFF設定にしておけば、印刷を行ったとしても、ステータス表示が出現することによる不快感を無くすことができる。
【００６６】
また、EPG（電子番組表）を受信可能なチューナの場合、EPG上で番組を指定し、指定した番組毎にステータス情報のTV表示ON／OFFを指定できるようにしてもよい。この方法によっても、ユーザの見たい番組の時間中は、ステータス情報をTV表示OFF設定にしておけば、ステータス表示が出現することによる不快感を無くすことができる。
【００６７】
なお、第２または３の実施形態と、第４の実施形態とは同時に同じシステム上で実行することが可能である。
【００６８】
＜第５の実施形態＞
第５の実施形態では、ステータス情報の種類ごとに表示ON／OFFを設定可能なシステムについて説明する。
【００６９】
本第５の実施形態では、図７に示す画面において、ステータス表示設定３２を押すと、図１３の画面となる。図１３においては、印字終了通知表示４２、インク有無警告表示４３、用紙ジャム表示４４、その他エラー表示４５のボタンがあり、それぞれ、ON／OFFを設定できる。それぞれの項目について、リモコン１０の４つの方向キー１８を使用してONかOFFのいずれかを選択し、決定ボタン１９を押すと、設定される。図１３は印字終了通知表示４２のみONにした例を示している。なお、他の３項目に関しては、記録装置７のステータス表示用液晶表示器９に表示するようにしても良い。
【００７０】
本第５の実施形態では、ステータス情報の種類毎にステータス情報のTV表示ON／OFFを切り換え可能なので、ユーザの使い勝手に応じて利便性を向上させることが可能となる。
【００７１】
なお、本第５の実施形態は、上記第１〜第４の実施形態のいずれと組み合わせて実現することも可能である。
【００７２】
＜他の実施形態＞
本発明の目的は、以下の様にして達成することも可能である。まず、前述した実施形態の機能を実現するソフトウェアのプログラムコードを記録した記憶媒体（または記録媒体）を、TVチューナ２に供給する。そして、TVチューナ２のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【００７３】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【図面の簡単な説明】
【００７４】
【図１】本発明の第１の実施形態における記録システムのシステム構成図である。
【図２】本発明の第１の実施形態におけるリモコンの正面図である。
【図３】本発明の第１の実施形態におけるステータス情報の表示／非表示処理を示すフローチャートである。
【図４】本発明の第１の実施形態におけるステータス情報の表示／非表示設定処理を示すフローチャートである。
【図５】本発明の第１の実施形態におけるメニュー設定画面の一例を示す図である。
【図６】本発明の第１の実施形態における印刷設定画面の一例を示す図である。
【図７】本発明の第１の実施形態における印刷ユーテリティ画面の一例を示す図である。
【図８】本発明の第１の実施形態におけるステータス表示設定画面の一例を示す図である。
【図９】本発明の第１の実施形態におけるインク残量警告が発生した場合の表示例を示す図である。
【図１０】本発明の第２の実施形態におけるステータス情報の表示／非表示の初期設定処理を示すフローチャートである。
【図１１】本発明の第３の実施形態におけるステータス情報の表示／非表示設定処理を示すフローチャートである。
【図１２】本発明の第４の実施形態におけるステータス表示設定画面の一例を示す図である。
【図１３】本発明の第５の実施形態におけるステータス表示設定画面の一例を示す図である。
【符号の説明】
【００７５】
１  TVパネル
２  TVチューナ
３  アンテナ
４  メモリカード
５  LANケーブル
６  インターネット回線
７  記録装置
８  LANケーブル
９  ステータス表示用液晶表示器
１０  リモコン
１１  液晶表示器
１２  放送用チャンネルボタン群
１３  切り換えボタン
１４  音量調節ボタン
１５  印刷ボタン
１６  メニューボタン
１７  ロータリースイッチ
１８  ４つの方向キー
１９  決定ボタン
２０  TV電源ONボタン
【図１】
2007074144.tif 000003
【図２】
2007074144.tif 000004
【図３】
2007074144.tif 000005
【図４】
2007074144.tif 000006
【図５】
2007074144.tif 000007
【図６】
2007074144.tif 000008
【図７】
2007074144.tif 000009
【図８】
2007074144.tif 000010
【図９】
2007074144.tif 000011
【図１０】
2007074144.tif 000012
【図１１】
2007074144.tif 000013
【図１２】
2007074144.tif 000014
【図１３】
2007074144.tif 000015